(57)【要約】【課題】機種によらずに共通したＬＵＴを搭載することができ、ユーザの指定する墨量の再現を容易にし、更にピクセル単位でのカラー補正を行う技術を提供する。【解決手段】ページプリンタ２０は付随情報抽出部２０Ａと、ＲＧＢプリンタ部２０Ｂとに区分される。付随情報抽出部２０Ａでは、ＰＤＬ解析部２１によってインクの使用量Ｑｉ及びオブジェクト情報οｉが抽出され、ＬＵＴ選択部２２によってＬＵＴ群２３を用いて使用量ＱｉをＲＧＢデータＪｉに変換する。ＬＵＴ選択部２２はインクの内の墨色Ｋについての補正量κｉも求める。ＲＧＢプリンタ部２０Ｂでは、ＬＵＴ選択部２４によってＬＵＴ群２５を用いてオブジェクト情報οｉに基づいて、ＲＧＢデータＪｉがインクの使用量Ｑｉ”に変換される。またカラー補正部２６によって、使用量Ｑｉ”を補正量κｉで補正して、使用量Ｑｉ’を求める。【選択図】        図１
2004306465.tif 000002
【特許請求の範囲】
【請求項１】
（ａ）ページ記述言語（ＰＤＬ）から、プリンタが備えるインクの第１使用量（Ｑｉ）及びオブジェクトの種類を示すオブジェクト情報（οｉ）を抽出するステップ（２１）と、
（ｂ）前記第１使用量及び前記オブジェクト情報に基づいて、前記インクの内の特定色（Ｋ）についての補正量（κｉ）を求めるステップ（２２，２３）と、
（ｃ）前記第１使用量をＲＧＢデータに変換するステップ（２２，２３）と、
（ｄ）前記ＲＧＢデータを、前記オブジェクト情報（οｉ）に基づいて前記インクの第２使用量（Ｑｉ”）に変換するステップ（２４，２５）と、
（ｅ）前記第２使用量を前記補正量で補正して、前記インクの第３使用量（Ｑｉ’）を求めるステップ（２６）と
を備える、プリンタのカラー補正方法。
【請求項２】
前記ステップ（ａ）において、ユーザ指定のレンダリングインテント（λｉ）も前記ページ記述言語から抽出され、
前記ステップ（ｂ）において、前記第１使用量及び前記オブジェクト情報並びに前記ユーザ指定のレンダリングインテントに基づいて、前記補正量が求められる、請求項１記載のプリンタのカラー補正方法。
【請求項３】
前記ステップ（ｂ）において、前記オブジェクト情報及び前記ユーザ指定のレンダリングインテントに基づいて、オブジェクト毎のレンダリングインテント（θｉ）も求められ、
前記ステップ（ｄ）においては前記オブジェクト毎のレンダリングインテント（θｉ）にも基づいて、前記ＲＧＢデータを前記第２使用量に変換する、請求項２記載のプリンタのカラー補正方法。
【請求項４】
前記ステップ（ａ）において、スクリーニングの種類を示すスクリーン情報（αｉ）も前記ページ記述言語から抽出され、
前記ステップ（ｄ）においては前記スクリーン情報にも基づいて、前記ＲＧＢデータを前記第２使用量に変換する、請求項１乃至請求項３のいずれか一つに記載のプリンタのカラー補正方法。
【請求項５】
前記ステップ（ａ）において、プレスシミュレーションの種類（Ａｉ）も抽出され、
前記ステップ（ｂ）においては前記プレスシミュレーションの種類に基づいて前記第１インク使用量をＲＧＢデータに変換する、請求項１乃至請求項４のいずれか一つに記載のプリンタのカラー補正方法。
【請求項６】
前記ステップ（ａ）乃至（ｅ）は画素毎に実行される、請求項１乃至請求項５のいずれか一つに記載のプリンタのカラー補正方法。
【請求項７】
前記ステップ（ａ）において、画素の位置を示すピクセルポジション（χｉ）も前記ページ記述言語から抽出され、
前記ステップ（ｅ）において前記第２使用量を前記ピクセルポジションと前記補正量とで補正して、前記第３使用量を求める、請求項６記載のプリンタのカラー補正方法。
【請求項８】
ページ記述言語（ＰＤＬ）から、プリンタが備えるインクの使用量（Ｑｉ）及びオブジェクトの種類を示すオブジェクト情報（οｉ）を抽出するＰＤＬ解析部（２１）と、
前記使用量及び前記オブジェクト情報に基づいて、前記インクの内の特定色（Ｋ）についての補正量（κｉ）を求め、前記使用量をＲＧＢデータに変換する変換部（２２，２３）と
を備える、付随情報抽出装置（２０Ａ）。
【請求項９】
前記ＰＤＬ解析部は、ユーザ指定のレンダリングインテント（λｉ）も前記ページ記述言語から抽出し、
前記変換部は、前記第１使用量及び前記オブジェクト情報並びに前記ユーザ指定のレンダリングインテントに基づいて、前記補正量を求める、請求項８記載の付随情報抽出装置。
【請求項１０】
前記変換部は、前記オブジェクト情報及び前記ユーザ指定のレンダリングインテントに基づいて、オブジェクト毎のレンダリングインテント（θｉ）も求める、請求項９記載の付随情報抽出装置。
【請求項１１】
前記ＰＤＬ解析部は、スクリーニングの種類を示すスクリーン情報（αｉ）も前記ページ記述言語から抽出する、請求項８乃至請求項１０のいずれか一つに記載の付随情報抽出装置。
【請求項１２】
前記ＰＤＬ解析部は、プレスシミュレーションの種類（Ａｉ）も抽出し、
前記変換部は、前記プレスシミュレーションの種類に基づいて前記第１インク使用量をＲＧＢデータに変換する、請求項８乃至請求項１１のいずれか一つに記載の付随情報抽出装置。
【請求項１３】
前記ＰＤＬ解析部における抽出、及び前記変換部における変換は画素毎に実行される、請求項８乃至請求項１２のいずれか一つに記載の付随情報抽出装置。
【請求項１４】
前記ＰＤＬ解析部において、画素の位置を示すピクセルポジション（χｉ）も前記ページ記述言語から抽出される、請求項１３記載の付随情報抽出装置。
【請求項１５】
複数色のインクを備えるインク吐出部（２７）と、
ＲＧＢデータを、オブジェクトの種類を示すオブジェクト情報（οｉ）に基づいて、前記インクの第１使用量（Ｑｉ”）に変換する変換部（２４，２５）と、
前記第１使用量を、前記インクの内の特定色（Ｋ）についての補正量（κｉ）で補正して、前記インクの第２使用量（Ｑｉ’）を求めるカラー補正部（２６）と
を備えるプリンタ（２０Ｂ）。
【請求項１６】
前記変換部においては、前記オブジェクト毎のレンダリングインテント（θｉ）にも基づいて、前記ＲＧＢデータを前記第１使用量に変換する、請求項１５記載のプリンタ。
【請求項１７】
前記変換部においてはスクリーニングの種類を示すスクリーン情報にも基づいて、前記ＲＧＢデータを前記第１使用量に変換する、請求項１５乃至請求項１６のいずれか一つに記載のプリンタ。
【請求項１８】
前記変換部における変換、及び前記カラー補正部における補正は画素毎に実行される、請求項１５乃至請求項１７のいずれか一つに記載のプリンタ。
【請求項１９】
前記変換部は、前記第１使用量を、画素の位置を示すピクセルポジション（χｉ）と前記補正量とで補正して、前記第２使用量を求める、請求項１８記載のプリンタ。
【発明の詳細な説明】
【０００１】
【発明の属する技術分野】
この発明はプリンタの動作を制御する技術に関し、特にページ記述言語に基づいて動作するプリンタに関する。
【０００２】
【従来の技術】
図２は従来のページプリンタ１０の構造を例示するブロック図である。外部から入力されたページ記述言語（ＰＤＬ）がＰＤＬ解析部１１によって解析され、ある画素ｉについてのインクの使用量Ｑｉ＝（Ｃｉ，Ｍｉ，Ｙｉ，Ｋｉ）及び付随情報Ｐｉが求められる。付随情報Ｐｉには当該画素ｉについての、例えばプレスシミュレーションの種類Ａｉや、スクリーニングの種類を示すスクリーン情報αｉが含まれる。
【０００３】
使用量Ｑｉは必ずしも直ちにインクの吐出量として使用されるのではなく、所定のルックアップテーブル（ＬＵＴ）に基づいてインクの使用量Ｑｉ’＝（Ｃｉ’，Ｍｉ’，Ｙｉ’，Ｋｉ’）へと変換される。変換に用いられるＬＵＴは、ＬＵＴ群１３から、プレスシミュレーションの種類Ａや、スクリーニングの種類αに依存して選定される。このＬＵＴの選定やインクの使用量の変換は、ＬＵＴ選択部１２によって行われる。
【０００４】
変換後のインクの使用量Ｑｉ’はインク吐出部１４に伝達され、シアン、マゼンタ、イエロー、墨の各インクの吐出量として、それぞれ使用量Ｃｉ’，Ｍｉ’，Ｙｉ’，Ｋｉ’が採用される。
【０００５】
なお、複数のインク毎の使用量を、所定のＬＵＴを用いて、インク毎の新たな使用量に変換する技術が、例えば特許文献１に紹介されている。
【０００６】
【特許文献１】
米国特許第４５００９１９号明細書
【０００７】
【発明が解決しようとする課題】
しかしながら、ページプリンタ１０では、一般にＲＧＢ色空間からＣＭＹＫ色空間へと色データを変換するＬＵＴが備えられているにも拘わらず、これを利用していない。またページプリンタ１０本体での色合いを変更する場合にもＬＵＴ群１３を再作成する必要がある。また当然ながらページプリンタ１０の機種毎にＬＵＴ群１３を作成しなければならない。またピクセル単位でのカラー補正を行えなかった。
【０００８】
本発明はかかる事情に鑑みてなされたもので、機種によらずに共通したＬＵＴを搭載することができ、ユーザの指定する墨量の再現を容易にし、更にピクセル単位でのカラー補正を行う技術を提供することを目的としている。
【０００９】
【課題を解決するための手段】
本発明にかかるプリンタのカラー補正方法では、（ａ）ページ記述言語（ＰＤＬ）から、プリンタが備えるインクの第１使用量（Ｑｉ）及びオブジェクトの種類を示すオブジェクト情報（οｉ）を抽出し、（ｂ）第１使用量及びオブジェクト情報に基づいて、インクの内の特定色（Ｋ）についての補正量（κｉ）を求め、（ｃ）第１使用量をＲＧＢデータに変換する。そして（ｄ）ＲＧＢデータを、オブジェクト情報（οｉ）に基づいてインクの第２使用量（Ｑｉ”）に変換し、（ｅ）第２使用量を補正量で補正して、インクの第３使用量（Ｑｉ’）を求める。
【００１０】
ステップ（ａ）〜（ｃ）によって一旦ＲＧＢデータとオブジェクト情報とを得ているので、ステップ（ｄ）においてインクの第２使用量を得るためには、機種によらずに共通したＬＵＴを採用することができる。またステップ（ｂ）におい求めた補正量で、ステップ（ｅ）においてカラー補正を行うことができる。
【００１１】
ステップ（ａ）において、ユーザ指定のレンダリングインテント（λｉ）もページ記述言語から抽出し、ステップ（ｂ）において、第１使用量及びオブジェクト情報並びにユーザ指定のレンダリングインテントに基づいて補正量を求めれば、オブジェクトに適したレンダリングインテントに基づいてカラー補正を行うことができる。
【００１２】
またステップ（ｂ）において、オブジェクト情報及びユーザ指定のレンダリングインテントに基づいて、オブジェクト毎のレンダリングインテント（θｉ）も求め、ステップ（ｄ）においてはオブジェクト毎のレンダリングインテント（θｉ）にも基づいて、ＲＧＢデータを第２使用量に変換すれば、あるオブジェクトのレンダリングインテントに適した第２使用量を得ることができる。
【００１３】
またステップ（ａ）において、スクリーン情報（αｉ）もページ記述言語から抽出し、ステップ（ｄ）においてはスクリーン情報にも基づいて、ＲＧＢデータを第２使用量に変換すれば、スクリーニングの種類に適した第２使用量を得ることができる。
【００１４】
またステップ（ａ）において、プレスシミュレーションの種類（Ａｉ）も抽出し、ステップ（ｂ）においてはプレスシミュレーションの種類に基づいて第１使用量をＲＧＢデータに変換すれば、プレスシミュレーションの種類に適したＲＧＢデータを得ることができる。
【００１５】
特に、ステップ（ａ）乃至（ｅ）を画素毎に実行すれば、カラー補正を画素毎に行うことができる。更にステップ（ａ）において、画素の位置を示すピクセルポジション（χｉ）もページ記述言語から抽出し、ステップ（ｅ）において第２使用量をピクセルポジションと補正量とで補正して、第３使用量を求めれば、ピクセルポジションにも基づいてカラー補正を行うので、同一印刷面における色差を低減することができる。
【００１６】
本発明にかかる付随情報抽出装置は、ＰＤＬ解析部（２１）と変換部（２２，２３）とを備える。そしてＰＤＬ解析部は本発明にかかるプリンタのカラー補正方法のステップ（ａ）を実行し、変換部は本発明にかかるプリンタのカラー補正方法のステップ（ｂ），（ｃ）を実行する。
【００１７】
本発明にかかるプリンタは、複数色のインクを備えるインク吐出部（２７）と、変換部（２４，２５）と、カラー補正部（２６）とを備える。そして変換部は発明にかかるプリンタのカラー補正方法のステップ（ｄ）を実行し、カラー補正部は本発明にかかるプリンタのカラー補正方法のステップ（ｅ）を実行する。
【００１８】
【発明の実施の形態】
図１は本発明の一実施の形態にかかるプリンタ、例えばページプリンタ２０の構造を示すブロック図である。ページプリンタ２０は付随情報抽出部２０Ａと、ＲＧＢプリンタ部２０Ｂとに区分することができる。
【００１９】
付随情報抽出部２０Ａは、ＰＤＬ解析部２１と、ＬＵＴ選択部２２と、ＬＵＴ群２３とを備えている。付随情報抽出部２０Ａは、ページプリンタ２０の外部からたページ記述言語（ＰＤＬ）を入力し、その内容を解析してある画素ｉについてのインクの使用量Ｑｉ＝（Ｃｉ，Ｍｉ，Ｙｉ，Ｋｉ）及び付随情報Ｐｉを抽出する。付随情報Ｐｉには当該画素ｉについての、プレスシミュレーションの種類Ａｉ、スクリーン情報αｉ、ユーザ指定のレンダリングインテントλｉ、オブジェクトの種類を示すオブジェクト情報οｉ、画素ｉの位置を示すピクセルポジションχｉが含まれる。
【００２０】
なお、スクリーン情報としては階調優先／解像度優先の二種類を例示することができ、レンダリングインテントとしては知覚／彩度／相対的色彩保持／絶対的色彩保持の四種類を例示することができ、オブジェクトの種類としては画像／テキスト／イラストの三種類を例示することができる。
【００２１】
ＬＵＴ選択部２２では、プレスシミュレーションの種類Ａ毎にインクの使用量ＣＭＹＫをＲＧＢ（赤；緑；青）データに変換するＬＵＴに基づいてデータの変換を行う。例えばインクの使用量Ｑｉ＝（Ｃｉ，Ｍｉ，Ｙｉ，Ｋｉ）は、プレスシミュレーションの種類Ａｉに対応するＬＵＴによってＲＧＢデータＪｉ＝（Ｒｉ，Ｇｉ，Ｂｉ）に変換される。これによりプレスシミュレーションの種類に適したＲＧＢデータを得ることができる。
【００２２】
ＬＵＴ選択部２２では更に、付随情報Ｐｉ’及び補正情報Ｐｉ”を追加したデータを出力する。付随情報Ｐｉ’は、画素ｉについてのスクリーン情報αｉ、オブジェクト情報οｉ、レンダリングインテントθｉを含む。また、補正情報Ｐｉ”はピクセルポジションχｉ及び墨補正量κｉを含む。なお、墨補正量としては、強／普通／弱／無しの四種類を例示することができる。
【００２３】
レンダリングインテントθｉは、ユーザ指定のレンダリングインテントλｉ及びオブジェクト情報οｉによりオブジェクトの種類に適したレンダリングインテントとして決定されるので、この決定をＬＵＴに基づいて行うことができる。また墨補正量κｉはユーザ指定のレンダリングインテントλｉ及びオブジェクト情報οｉ並びにインクの使用量ＣＭＹＫにより決定されるので、この決定をＬＵＴに基づいて行うことができる。このように付随情報データＰｉ’及び補正情報Ｐｉ”を求めるためのＬＵＴを、ＲＧＢデータを求めるためのＬＵＴに纏めて、図１においては「ＣＭＹＫｔｏＲＧＢ＋  ＬＵＴ」と表記している。かかるＬＵＴはＬＵＴ群２３を構成している。
【００２４】
ＲＧＢプリンタ部２０ＢはＬＵＴ選択部２４とＬＵＴ群２５とを備えている。ＬＵＴ選択部２４にはＲＧＢデータＪｉ及び付随情報Ｐｉ’が入力し、付随情報Ｐｉ’に基づいて、ＬＵＴ群２５からＬＵＴを選択する。当該ＬＵＴはＲＧＢデータをインクの使用量ＣＭＹＫに変換する。当該ＬＵＴはスクリーン情報αｉ、オブジェクト情報οｉ、レンダリングインテントθｉに対応したものが選択されるので、スクリーニングの種類や、オブジェクトの種類に適したレンダリングインテントに適切なインクの使用量Ｑｉ”＝（Ｃｉ”，Ｍｉ”，Ｙｉ”，Ｋｉ”）を得ることができる。
【００２５】
ＲＧＢプリンタ部２０Ｂはカラー補正部２６を備えており、インクの使用量Ｑｉ”及び補正情報Ｐｉ”を入力する。そして補正情報Ｐｉ”を用いてインクの使用量Ｑｉ”を補正し、実際の吐出量としてのインクの使用量Ｑｉ’＝（Ｃｉ’，Ｍｉ’，Ｙｉ’，Ｋｉ’）が求められる。
【００２６】
ＲＧＢプリンタ部２０Ｂはインク吐出部２７を更に備えており、インクの使用量Ｑｉ’に基づいてシアン、マゼンタ、イエロー、墨の各インクが吐出される。
【００２７】
カラー補正部２６においては画素ｉ毎にカラー補正を行うことができるので、ユーザの指定する墨量の再現を容易にする。更にピクセル単位でのカラー補正を行うことができ、ピクセルポジションχｉにも基づいてカラー補正を行うので、同一印刷面における色差を低減することができる。
【００２８】
しかも、ＬＵＴ群２５においては付随情報Ｐｉ’毎にＬＵＴが準備されるので、インクの使用量Ｑｉ”を求めるに際して、機種毎に異なるＬＵＴを準備する必要がない。
【００２９】
もちろん、ＲＧＢプリンタ部２０Ｂは、外部からＲＧＢデータＪｉ及び墨補正量κｉを入力すれば、これのみでもプリンタとして、いわゆるＲＧＢプリンタとして機能することができる。換言すれば、ＲＧＢプリンタとして、カラー補正部２６のようにピクセル毎にカラー補正が可能であり、ＬＵＴ群２５のように付随情報Ｐｉ’毎にＬＵＴが準備されていれば、当該ＲＧＢプリンタに対して付随情報抽出部２０Ａに相当する付随情報抽出装置を追加するのみで、インク使用量についての情報を含むページ既述言語を入力可能なページプリンタ２０として機能することができる。
【図面の簡単な説明】
【図１】本発明の一実施の形態にかかるページプリンタの構造を示すブロック図である。
【図２】従来のページプリンタの構造を例示するブロック図である。
【符号の説明】
２１  ＰＤＬ解析部
２２，２４  ＬＵＴ選択部
２３，２５  ＬＵＴ群
２６  カラー補正部
Ａｉ  プレスシミュレーションの種類
Ｑｉ，Ｑｉ’，Ｑｉ”  インクの使用量
Ｊｉ  ＲＧＢデータ
Ｐｉ’  付随情報
Ｐｉ”  補正情報
αｉ  スクリーン情報
θｉ  レンダリングインテント
κｉ  墨補正量
λｉ  ユーザ指定のレンダリングインテント
οｉ  オブジェクト情報
χｉ  ピクセルポジション
【図１】
2004306465.tif 000003
【図２】
2004306465.tif 000004